(57)【要約】【課題】  営業写真館の運用に柔軟に対応可能な画像データ出力システムを提供すること。【解決手段】  デジタル画像と、前記デジタル画像を元データとして画像処理が行われた派生デジタル画像の種類と、注文情報とを、出力セットとして管理する出力セット設定手段と、前記出力セット設定手段によって管理されている出力セット情報に基づき保存する保存手段とを有する。  【選択図】        図１
2006072914.tif 000002
【特許請求の範囲】
【請求項１】
デジタル画像を記憶手段へ出力する場合の画像データ出力システムであって、
デジタル画像と、前記デジタル画像を元データとして画像処理が行われた派生デジタル画像と、注文情報とのセットを、注文データとして管理する注文データ管理手段と、
前記注文データ管理手段によって管理されているデジタル画像と、前記派生デジタル画像と、前記注文情報とを記憶する第一の記憶手段と、
前記デジタル画像と、前記派生デジタル画像の種類と、前記注文情報とを、出力セットとして管理する出力セット設定手段と、
前記注文管理手段が管理する注文データ内の前記デジタル画像、前記派生デジタル画像及び前記注文情報とを、第二の記憶手段へ保存する場合に、前記出力セット設定手段によって管理されている出力セット情報に基づき保存する保存手段と、
を有することを特徴とする画像データ出力システム。
【請求項２】
請求項１の出力セット設定手段は、出力セットに対し出力先を設定し、請求項１の保存手段は、前記出力セット設定手段により設定された出力セットと出力先の情報に基づき、前記デジタル画像、前記派生デジタル画像及び前記注文情報とを保存することを特徴とする画像データ出力システム。
【請求項３】
デジタル画像を記憶装置へ出力する場合の画像データ出力プログラムであって、
デジタル画像と、前記デジタル画像を元データとして画像処理が行われた派生デジタル画像と、注文情報とのセットを、注文データとして管理する注文データ管理ステップと、
前記注文データ管理ステップによって管理されているデジタル画像と、前記派生デジタル画像と、前記注文情報とを記憶する第一の記憶装置と、
前記デジタル画像と、前記派生デジタル画像の種類と、前記注文情報とを、出力セットとして管理する出力セット設定ステップと、
前記注文管理ステップが管理する注文データ内の前記デジタル画像、前記派生デジタル画像及び前記注文情報とを、第二の記憶装置へ保存する場合に、前記出力セット設定ステップによって管理されている出力セット情報に基づき保存する保存ステップと、
を有することを特徴とする画像データ出力プログラム。
【請求項４】
請求項３の出力セット設定ステップは、出力セットに対し出力先を設定し、請求項１の保存ステップは、前記出力セット設定ステップにより設定された出力セットと出力先の情報に基づき、前記デジタル画像、前記派生デジタル画像及び前記注文情報とを保存することを特徴とする画像データ出力プログラム。
【発明の詳細な説明】
【技術分野】
【０００１】
本発明は、写真館等で行われるデジタル撮影、デジタル出力等の処理を行うデジタルワークフローにおいて、撮影した画像データ及び関連したデータを、外部メディアやネットワーク上の記憶装置を含む外部記憶装置に保存するための、画像データ出力システムおよび画像データ出力プログラムに関する。
【背景技術】
【０００２】
今日、高画素デジタルカメラ、写真画質インクジェットプリンタの登場により、写真撮影からプリントまでのワークフローを、フルデジタル処理することが可能となっている。営業写真館等では、フルデジタルワークフローの導入により、従来はラボ店に依頼していた現像、リタッチ、プリント作業の内製化を行うことで、納期短縮、消耗品のコスト削減を行いたいと考えている店舗が多い。このため、デジタルワークフローの構築では、従来のアナログワークフローに対し、いかに効率的な利益のでるワークフローを構築するかが課題となっている。これは、フルデジタル化による内製化は、一見メリットのように見えが、カラーマネージメントを理解したデジタル処理を行うことのできる人材の育成、デジタルシステムの管理に伴うシステムメンテナンス費用など、アナログワークフロー時代にはかからなかった人件費、システム維持費がかかる問題点があるためである。内製化は、単純に写真館業務での仕事が増加することを意味し、忙しい日常業務の中では、デジタル機器を時間をかけ操作してゆくことは、大きな作業負担となる。このため、投資効果が算定できず、なかなかデジタル化に踏み切れない店舗が多い。
【０００３】
デジタルワークフローにおいては、撮影したオリジナルのデジタル画像データの他、例えば、オリジナルの画像データがＣＣＤ生データ即ちＲＡＷ画像データであれば、現像ソフトウェアによってデジタル現像処理を行った後の現像済画像データが発生する。さらに、ライティング影響による補正、しわ、しみ等のリタッチ処理を行ったリタッチ済画像データ、あるいは印刷用にトリミング等を行ったレイアウト済画像データなど、オリジナル画像データからは様々な派生画像データが生成される。その後、様々な派生画像データの一部は、顧客へ渡されたり、他店舗での処理のために渡されたりする。このように、様々な画像データを、様々なセットで出力するデジタルワークフローの複雑さは、デジタルワークフロー導入の閾値を上げる要因になっている。ここで、従来の画像データ出力システムの例として、プリント出力等の画像出力の依頼によって出力された出力画像の画像データをＣＤ−Ｒ等の記録媒体へ書き込む画像データ出力システムが開示されている（例えば、特許文献１参照。）。特許文献１において、出力するデジタル画像は、写真館での撮影と異なり顧客が持ち込むものではあるが、記録媒体へ書き込む画像データは、依頼者別に管理されたもので、依頼者別の画像データを記録媒体に書き込む制御を行うものであった。
【特許文献１】特開平２００３−１１１００６号公報（第５項、第６項）
【発明の開示】
【発明が解決しようとする課題】
【０００４】
上述した従来の技術では、記録媒体に出力される画像データは、依頼者からの依頼を受けた依頼者単位別のものであり、営業写真館等がフルデジタル化を行う場合の、上述した派生画像データの運用においては十分に機能するものではなかった。例えば、プリント処理を外部へ委託する場合、リタッチ処理を外部へ委託する場合、撮影データを店舗内で保管する場合等、それぞれ必要な画像データが異なり、顧客サービス専用の出力機能だけでは、十分なデジタルワークフローを構築できないからである。
【０００５】
本発明は、このような問題を鑑みてなされたもので、営業写真館等がデジタルワークフローを構築する場合に、店舗毎のワークフローにも柔軟に適用できる画像データ出力システムおよび画像データ出力プログラムを提供することを目的としたものである。
【課題を解決するための手段】
【０００６】
本発明は、上記の目的を達成するため、
請求項１に記載の第一の発明は、デジタル画像と、前記デジタル画像を元データとして画像処理が行われた派生デジタル画像と、注文情報とのセットを、注文データとして管理する注文データ管理手段と、前記注文データ管理手段によって管理されているデジタル画像と、前記派生デジタル画像と、前記注文情報とを記憶する第一の記憶手段と、前記デジタル画像と、前記派生デジタル画像の種類と、前記注文情報とを、出力セットとして管理する出力セット設定手段と、前記注文管理手段が管理する注文データ内の前記デジタル画像、前記派生デジタル画像及び前記注文情報とを、第二の記憶手段へ保存する場合に、前記出力セット設定手段によって管理されている出力セット情報に基づき保存する保存手段とを有することを特徴とする。
【０００７】
請求項２に記載の第二の発明は、第一の発明に記載の出力セット設定手段は、出力セットに対し出力先を設定し、第一の発明に記載の保存手段は、前記出力セット設定手段により設定された出力セットと出力先の情報に基づき、前記デジタル画像、前記派生デジタル画像及び前記注文情報とを保存することを特徴とする。
【０００８】
請求項３に記載の第三の発明は、デジタル画像と、前記デジタル画像を元データとして画像処理が行われた派生デジタル画像と、注文情報とのセットを、注文データとして管理する注文データ管理ステップと、前記注文データ管理ステップによって管理されているデジタル画像と、前記派生デジタル画像と、前記注文情報とを記憶する第一の記憶装置と、前記デジタル画像と、前記派生デジタル画像の種類と、前記注文情報とを、出力セットとして管理する出力セット設定ステップと、前記注文管理ステップが管理する注文データ内の前記デジタル画像、前記派生デジタル画像及び前記注文情報とを、第二の記憶装置へ保存する場合に、前記出力セット設定ステップによって管理されている出力セット情報に基づき保存する保存ステップとを有することを特徴とする。
【０００９】
請求項４に記載の第四の発明は、第三の発明に記載の出力セット設定ステップは、出力セットに対し出力先を設定し、第三の発明に記載の保存ステップは、前記出力セット設定ステップにより設定された出力セットと出力先の情報に基づき、前記デジタル画像、前記派生デジタル画像及び前記注文情報とを保存することを特徴とする。
【発明の効果】
【００１０】
本発明の、請求項１に記載の画像データ出力システムによれば、出力する画像データセットを保存時に任意に選択できるので、柔軟な運用ワークフローに適用できる。また、請求項２に記載の画像データ出力システムによれば、さらに出力先も出力データセットに設定できるため、柔軟なデータ出力行為が容易に実行可能となる。
【発明を実施するための最良の形態】
【００１１】
以下、本発明の実施の形態について図面を参照して説明する。
【実施例】
【００１２】
図１は、本発明の画像データ出力システムの概略構成を示すブロック図である。同図において、符号１０１は、デジタルカメラ等のデジタル画像データを生成する入力手段である。符号１０２は、入力手段１０１によって生成されたデジタル画像を、顧客の撮影毎データとして管理する注文データ管理手段、符号１０３は、注文データ管理手段１０２によって管理された画像データを記憶する第一の記憶手段、符号１０４は入力手段１０１によって生成された画像データを示す。符号１０５は、入力手段１０１によって生成された画像データ１０４に対し、数々の画像処理を施す画像処理手段である。画像処理手段１０５の処理には、画像データ１０４がデジタルカメラのＣＣＤ生データである場合、生データ画像から汎用データファイル形式へ変換する処理、即ちデジタル処理における現像処理であったり、顔のしみやしわを補正するリタッチ処理、あるいは印刷用画像としてトリミングを施すトリミング処理であったりする。符号１０６は、画像処理手段１０５によって施された処理によって生成された画像を示し、名前を派生画像データとしたものである。符号１０７は、顧客識別情報、撮影受付情報、注文情報が含まれる注文管理データである。符号１０８は、画像データ１０４、派生画像データ１０６、注文管理データ１０７のデータセットを複数設定する出力セット設定手段である。符号１０９は、注文データ管理手段１０２によって管理されている画像データ１０４、派生画像データ１０６、注文管理データ１０７を、符号１１０にて示している、外部リムーバブルメディアやネットワーク上の第二の記憶手段へ、出力セット設定手段１０８の設定、及びオペレーターの指示に基づき保存する保存手段である。なお、第二の記憶手段１１０は、第一の記憶手段１０３と同一のものであってもよい。
【００１３】
図２は、本発明の画像データ出力システムを実現するハードウェア構成を示すブロック図である。
【００１４】
同図において、符号２０１は、演算及び制御用の中央演算処理部（ＣＰＵ）である。符号２０２は、画像入力、注文データ管理、画像処理、出力セット設定、保存を行うプログラムが格納されたＲＯＭである。符号２０３は、画像入力、注文データ管理、画像処理、出力セット設定、保存プログラムが実行される場合に、プログラムがロードされる実行領域、及びプログラムの作業領域が確保されるＲＡＭである。符号２０４は、オペレーターが操作やデータ入力を行うためのキーを有するキーボードである。符号２０５は、ディスプレイ２０６に表示された指示アイコンをクリックしたり、カーソルを移動して操作の指示を行うマウスなどのポィンティングデバイスである。符号２０７は、画像データ、注文データ、プログラム、あるいは出力用の作業データを格納する記憶装置（ハードディスク（ＨＤ））である。ディスプレイ２０６はタッチパネルでもよい。符号２０８は、外部画像処理装置とのデータ交換や、画像データ及びプログラムが格納される、フロッピィー（登録商標）ディスクや光磁気ディスク（ＭＯ）などのリムーバブルメディアである。符号２０９は印刷装置（プリンタ）であり、符号２１０は、デジタル画像の入力を行うフィルムスキャナーやデジタルカメラ等のデジタル画像の入力デバイスである。符号２１１は画像システム内の各デバイスを相互に接続するバスである。
【００１５】
なお、図１における注文データ管理手段１０２、第一の記憶手段１０３、画像処理手段１０５、出力セット管理手段１０８、保存手段１０９、第二の記憶手段１１０は、ＣＰＵ２０１、ＲＡＭ２０３、ＨＤ２０７、ディスプレイ２０６、リムーバブルメディア２０８により構成される。
【００１６】
図３は、撮影によって発生する注文毎データの例を示したものである。画像データ１０４は、撮影ＲＡＷ画像（符号３０３）が相当し、派生画像データ１０６には、現像済画像（符号３０４）、リタッチ済画像（符号３０５）、印刷用にトリミング処理が施されたレイアウト済データ（符号３０６）が相当する。注文管理データ１０７には、受付データ（符号３０１）、注文データ（符号３０２）が相当する。受付データ３０１としては、受付識別ＩＤ、顧客の名前、電話番号等の顧客識別情報が含まれる。注文データ３０２としては、注文識別ＩＤ、四切１枚、六切１枚等の印刷注文情報が含まれる。
【００１７】
図４は、出力セット設定手段１０８を示すユーザーインターフェース画面の例示したものである。符号４０１の、「お客様書き込みサービス」「印刷委託」「補正印刷委託」「店舗用データ保管」「お客様スペシャル書き込みサービス」が表示されているリストは、保存手段１０９によって実行される出力セットの種類を示したものである。出力セット設定手段１０８によって設定される出力セットは、符号４０４の文字入力領域に任意の名前を記入し、符号４０５の［新規］ボタンを実行することで、符号４０１出力セットの種類に新規に追加される。符号４０２は、保存時に選択保存される出力データセット属性を示す。符号４０２の例では、「受け付けデータ」「現像済み画像」属性のものが「お客様書き込みサービス」に保存設定されている。符号４０３は、符号４０２へ設定するための画像種別のリストである。符号４０３の状態では、「注文データ」「撮影ＲＡＷ画像」「リタッチ済み画像」「レイアウト済み画像」が、まだ出力データセット属性４０２登録可能である。出力データセット属性４０２への登録は、符号４０８の［←］ボタンにて行う。また、出力データセット属性４０２からの削除は、符号４０９の［→］ボタンにて行う。符号４０１の出力セットの種類リスト名を変更する場合は、変更する種別を出力セットの種類リスト４０１から選択する。この時点で、文字入力領域４０４に選択された出力種別の名前が表示され、この名前を修正し、符号４０６の［修正］ボタンを実行することで名前の変更を行う。また、出力種別を出力セットの種類リスト４０１から削除する場合は、出力セットの種類リスト４０１から、削除する種別を選択し、符号４０７の［削除］ボタンを実行することによって削除を行う。符号４１０は、出力先の指定を表示し、符号４１１の［参照．．．］ボタンの実行で、図２に示したハードウェアシステム上で認識可能な場所を指定する。
【００１８】
図５は、出力セット設定手段１０８によって設定されたデータの例を示したものである。符号５０１「お客様書き込みサービス」は、受付データ３０１及び現像済画像３０４が設定されている。符号５０２「印刷委託」には、受付データ３０１、注文データ３０２、レイアウト済データ３０６が設定されている。符号５０３「補正・印刷委託」には、受付データ３０１、注文データ３０２、撮影ＲＡＷ画像３０３、現像済画像３０４が設定されている。符号５０４「店舗用データ保管」には、受付データ３０１、注文データ３０２、撮影ＲＡＷ画像３０３、現像済画像３０４、リタッチ済画像３０５が設定されている。符号５０５「お客様スペシャル書き込みサービス」には、受付データ３０１、撮影ＲＡＷ画像３０３、現像済画像３０４が設定されている。
【００１９】
図６は、図４の出力セット設定手段によって設定された図５のようなデータを指定情報として、保存を行う場合の画面例を示したものである。符号６０１は、符号４０１にて設定した出力セットを示す。符号６０２の出力データの内容、符号６０３の出力先は、符号４０２、符号４０３、符号４０８、符号４０９、及び符号４１０、符号４１１を用いて設定した、出力セット及び出力先の情報を示す。符号６０４［保存］ボタンを実行することで、選択されている出力セットの保存が行われる。
【００２０】
本発明は、上述した実施の形態の機能を実現するソフトウェアのプログラムをコンピュータ又はＣＰＵに供給し、そのコンピュータ又はＣＰＵが該供給されたプログラムを読出して実行することによっても本発明の目的が達成されることは云うまでもない。
【００２１】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００２２】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００２３】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００２４】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【図面の簡単な説明】
【００２５】
【図１】本発明の画像データ出力システムの概略構成を示すブロック図である。
【図２】本発明の画像データ出力システムを実現するハードウェア構成を示すブロック図である。
【図３】本発明の画像データ出力システムで生成される画像データ、管理データの例を示す図
【図４】本発明の画像データ出力システムで出力セットを設定する画面の例を示す図
【図５】本発明の画像データ出力システムの出力セット設定手段で設定されるセットデータの例を示す図
【図６】本発明の画像データ出力システムの出力セットを選択して保存実行する画面の例を示す図
【符号の説明】
【００２６】
１０２  注文データ管理手段
１０３  第一の記憶手段（記憶手段１）
１０４  画像データ
１０５  画像処理手段
１０６  派生画像データ
１０７  注文管理データ
１０８  出力セット設定手段
１０９  保存手段
１１０  第二の記憶手段（記憶手段２）
２０１  ＣＰＵ
２０２  ＲＯＭ
２０３  ＲＡＭ
２０４  キーボード
２０５  ポィンティングデバイス
２０７  ハードディスク（ＨＤ、記憶装置）
２０８  リムーバブルメディア
【図１】
2006072914.tif 000003
【図２】
2006072914.tif 000004
【図３】
2006072914.tif 000005
【図４】
2006072914.tif 000006
【図５】
2006072914.tif 000007
【図６】
2006072914.tif 000008